(57)【要約】      （修正有）【課題】組込式加熱調理器をキッチン等に組み込んだ後に、簡素な構成で、組込式加熱調理器の前面部がキッチンの前面部とほぼ同一平面に配置調整する設置作業時の作業性を向上することができる前後位置調整機構を備えた加熱調理器を提供する。【解決手段】下ユニット４を上ユニット３の左右幅よりも小さく形成して、上下ユニットの連結機構を兼ね備えた前後位置調整機構を上ユニット３下面に構成することで、部品点数の増加を抑制しつつ、下ユニット４を好ましい位置まで容易に前後方向へ移動することができ、下ユニット４のグリル加熱室１４の扉１６がキッチン１の前面部とほぼ同一平面に配置調整する設置作業時の作業性を向上することができる。【選択図】図１
2014211245.tif 000002
【特許請求の範囲】
【請求項１】
被加熱物を置載するトッププレート、前記トッププレートが上面に配置された上外郭ケースおよび前記上外郭ケース内に設けられかつ前記トッププレート下方に配置されて前記被加熱物を加熱する加熱体を有する上ユニットと、
前記上ユニットの下方に設けられた下外郭ケース、前面に前面開口部を有し内部を加熱するグリル加熱室および前記前面開口部を開閉する扉を有する下ユニットと、
前記上ユニットと前記下ユニットとの前後位置関係を調整する前後位置調整機構と、
を備え、
前記下ユニットは、前記上ユニット下面に前記位置調整機構で連結された状態でキッチンの上面に設けられたキッチン上部開口穴から挿入され、かつ左右幅が前記上外郭ケースの左右幅よりも小さく構成され、
前記上ユニットと前記下ユニットが前記キッチン上部開口穴に挿入された後に、前記前後位置調整機構により前記上ユニットと前記下ユニットとの前後位置関係の調整が上ユニット下方から可能である、
組込式加熱調理器。
【請求項２】
前記下ユニットは、上部に左右外方へ伸びたフランジ部を備え、前記前後位置調整機構は、前記フランジ部に形成した前後方向へ長い長穴と、前記フランジ部下方より前記長穴を貫通して前記フランジ部を上ユニット下面へ締め付けて係止する係止部とで構成され、前記係止部を緩めることで前記下ユニットが前記上ユニットに連結したまま前記長穴に沿って移動可能とする構成とした請求項１記載の組込式加熱調理器。
【請求項３】
前記前後位置調整機構は、下方からみて前記下ユニットが前記上ユニット外郭ケースより突出しない位置になるよう調整可能とした請求項１または２に記載の組込式加熱調理器。
【請求項４】
前記キッチンの前面に設けられ、前記扉横の開口部を覆う着脱可能な前カバーを設けた請求項１〜３のいずれか１項に記載の組込式加熱調理器。
【発明の詳細な説明】
【技術分野】
【０００１】
本発明は、キッチンに組み込まれて使用され、組み込み後に位置調整可能とした組込式加熱調理器に関するものである。
【背景技術】
【０００２】
従来、この種の組込式加熱調理器には、加熱調理器をキッチン等に組み込んだ後に、加熱調理器の前面部がキッチン等の前面部とほぼ同一平面上になるよう本体前面に設けた前後位置調整機構の調整部を用いて、前面から位置調整可能としたものがある。（例えば、特許文献１参照）。
【０００３】
図７は、前記特許文献１に記載された従来の組込式加熱調理器を示すものである。
【０００４】
図７に示すように、従来の組込式加熱調理器は、上ケース３１内に誘導加熱体および冷却ファン１０が設けられた上ユニット３２と、下ケース３１内にグリル部が設けられた下ユニット３０から構成され、上ケース３１の両側部には、上ユニット３２と下ユニット３０とを結合する結合部材４０が設けられている。
【０００５】
下ケース３１の上部で上ケース３１の前面部の略中央には、上ユニット３２に対する下ユニット３０の前後方向の位置調整を行う前後位置調整機構６０が設けられている。前後位置調整機構６０は、ナット６１、調整つまみ６２及び保持部材６３から構成され、ナット６１は、上ケース３１の前面部内側に例えば溶接等で固定されている。このナット６１には、上ケース３１に形成された孔を介して、調整つまみ６２の軸部６２ａの一端に形成された雄ねじ部６２ｂが螺合されている。調整つまみ６２の軸部６２ａの他端、つまり上ユニット３２の前方でトッププレート３３の下方、かつ下ユニット３０の上方には、前後位置調整機構６０の調整部に相当するつまみ部６２ｃが設けられている。また、軸部６２ａの略中央部には鍔部６２ｄが２箇所設けられている。
【０００６】
また、下ケース３１の上部前方に設けられた保持部材６３には、保持孔６３ａが形成されており、調整つまみ６２に設けられた２箇所の鍔部６２ｃ間の軸部６２ａがこの保持孔６３ａに挿入されることにより、保持部材６３は調整つまみ６２を保持する。
【０００７】
前後位置調整機構６０は、製品前面からつまみ部６２ｃを正面から見て時計回りに回すと、ナット６１の雌ねじ部と調整つまみ６２の雄ねじ部６２ｂとの噛み合いによって、下ユニット３０は上ユニットに対して前方に移動する構成としている。
【先行技術文献】
【特許文献】
【０００８】
【特許文献１】特開２００９−３６３８３号公報
【発明の概要】
【発明が解決しようとする課題】
【０００９】
しかしながら、前記従来の構成では、前後位置調整機構と上下ユニット連結機構が別々に構成されているため構成部品も多く複雑である。また、位置調整を行う際は、調整機構の調整部を操作し少しずつ移動させる構成のため調整に手間がかかるという課題を有していた。
【００１０】
本発明は前記従来の課題を解決するもので、上下ユニットの連結と前後位置調整に係る構成部品を少なくすると共に、下ユニットを任意の位置まで容易に前後方向へ移動することができ、下ユニットの前面部がキッチンの前面部とほぼ同一平面に配置調整する設置作業時の作業性を向上することができる加熱調理器を提供することを目的としている。
【課題を解決するための手段】
【００１１】
前記従来の課題を解決するために、本発明の加熱調理器は、被加熱物を置載するトッププレート、トッププレートが上面に配置された上外郭ケースおよび上外郭ケース内に設けられかつトッププレート下方に配置されて被加熱物を加熱する加熱体を有する上ユニットと、上ユニットの下方に設けられた下外郭ケース、前面に前面開口部を有し内部を加熱するグリル加熱室および前面開口部を開閉する扉を有する下ユニットと、上ユニットと下ユニットとの前後位置関係を調整する前後位置調整機構と、を備え、下ユニットは、上ユニット下面に位置調整機構で連結された状態でキッチンの上面に設けられたキッチン上部開口穴から挿入され、かつ左右幅が上外郭ケースの左右幅よりも小さく構成され、上ユニットと下ユニットが前記キッチン上部開口穴に挿入された後に、前記前後位置調整機構により前記上ユニットと前記下ユニットとの前後位置関係の調整を上ユニット下方から可能としたものである。
【００１２】
これによって、前後位置調整機構が上下ユニットの連結機構を兼ねる構成としたことで、上下ユニットの連結と前後位置調整に係る構成部品が少なく簡易に構成することができる。また、上ユニットと下ユニットとの前後位置の調整を上ユニット下方から係止部を緩めた状態で直接下ユニットを操作して、すなわち下ユニットを手で押したり引いたりすることで調整することができ、下ユニットを好ましい位置まで容易に前後方向へ移動することができる。
【発明の効果】
【００１３】
本発明の加熱調理器は、下ユニットを上ユニット下面に連結したままで容易に前後方向へ移動することができ、組込式加熱調理器の前面部がキッチンの前面部とほぼ同一平面になるよう調整するための設置作業時の作業性を向上することができる。
【図面の簡単な説明】
【００１４】
【図１】本発明の第１の実施における組込式加熱調理器の形態の概略構成を示す分解斜視図
【図２】同組込式加熱調理器を下から見た底面図
【図３】同組込式加熱調理器を、キッチンに組込み後、前カバーがセットされる前に前方から見た正面図
【図４】同組込式加熱調理器を、キッチンに組込み後、前カバーがセットされた状態で右斜め後方より見た部分斜視図
【図５】（ａ）は同組込式加熱調理器を、キッチンに組込み後下ユニットを移動する前に右方から見た概略断面図（ｂ）は同組込式加熱調理器を、キッチンに組込み後下ユニットを移動した後に右方から見た概略断面図
【図６】（ａ）は同組込式加熱調理器を、キッチンに組込み後下ユニットを移動する前に右方から見た、排気筒の嵌合状態を示す、概略断面図（ｂ）は同組込式加熱調理器を、キッチンに組込み後下ユニットを移動する前に右方から見た、排気筒の嵌合状態を示す、概略断面図
【図７】特許文献１に記載された従来の加熱調理器の概略図
【発明を実施するための形態】
【００１５】
第１の発明は、被加熱物を置載するトッププレート、トッププレートが上面に配置された上外郭ケースおよび上外郭ケース内に設けられかつトッププレート下方に配置されて被加熱物を加熱する加熱体を有する上ユニットと、上ユニットの下方に設けられた下外郭ケース、前面に前面開口部を有し内部を加熱するグリル加熱室および前面開口部を開閉する扉を有する下ユニットと、上ユニットと下ユニットとの前後位置関係を調整する前後位置調整機構と、を備え、下ユニットは、上ユニット下面に位置調整機構で連結された状態でキッチン上部開口穴から挿入され、かつ左右幅が上外郭ケースの左右幅よりも小さく構成され、上ユニットと下ユニットがキッチン上部開口穴に挿入された後に、前後位置調整機構により上ユニットと下ユニットとの前後位置関係の調整が上ユニット下方から可能であることを特徴とする組込式加熱調理器としたものである。
【００１６】
この構成により、前後位置調整機構は、上下ユニットの連結機構を兼ねることで、上下ユニットの連結および前後位置調整機構に係る構成部品が少なく簡易な構成とすることができる。
【００１７】
また、上ユニットと下ユニットとの前後位置の調整は、上ユニット下方から下ユニット上部にある前後位置調整機構を直接操作してすることが可能となり、下ユニットを好ましい位置まで容易に前後方向へ移動することができる。これにより、加熱調理器の前面部がキッチンの前面部とほぼ同一平面に配置調整する設置作業時の作業性を向上することができる。
【００１８】
また、前後位置調整機構を機器前方の使用者が容易に触れる場所ではなく、上ユニット下面に構成したことで、使用者が意識せずに位置調整機構に触れて調整位置がずれる恐れがなく、組込式加熱調理器の前面部がキッチンの前面部とほぼ同一平面に配置したままの見栄えを維持することができる。
【００１９】
第２の発明は、特に第１の発明の下ユニットは、上部に左右外方へ伸びたフランジ部を備え、前後位置調整機構はフランジ部に形成した前後方向へ長い長穴と、フランジ部下方より長穴を貫通してフランジ部を上ユニット下面へ締め付けて係止する係止部とで構成され、係止部を緩めることで下ユニットが上ユニットに連結したまま長穴に沿って移動可能とする構成としたものである。
【００２０】
この構成により、係止部を緩めた状態では、下ユニットが上ユニットに連結したまま、長穴に沿って移動するため、前後方向へ下ユニットを直接手で操作して任意の位置へ移動しやすくすることができ、加熱調理器の前面部がキッチンの前面部とほぼ同一平面に配置調整する設置作業時の作業性を向上することができる。
【００２１】
また、係止部により下ユニットを好ましい位置で締め付け固定することで、位置調整後の位置に確実に下ユニットをとどまらせることができ、設置後使用者が誤って下ユニットにあたっても調整位置を保ち、加熱調理器の前面部がキッチンの前面部とほぼ同一平面に配置したままの見栄えを維持することができる。
【００２２】
第３の発明は、特に第１または第２の発明の前後位置調整機構は、下方からみて下ユニットが上ユニット外郭ケースより突出しない位置になるよう調整可能としたものである。
【００２３】
この構成により、上下ユニットを水平な姿勢のまま同時にキッチン上部開口穴に挿入して組み込むことができる。したがって、上ユニット下面に下ユニットが連結された状態でキッチン上部開口穴から挿入されキッチンに組み込まれる際、キッチン上部開口穴に下ユニットが干渉しないように機器を傾けて挿入する必要がなくなる。このように、本発明によれば、機器を傾けて挿入する構成のものよりも、設置作業が容易行うことができるので設置作業性を向上することができる。
【００２４】
また、本発明によれば、機器を傾けて挿入する構成のものよりも、下ユニット前面がキッチン上部開口穴に挿入する時にキッチン上部開口穴の縁に衝突する恐れを低減することができる。
【００２５】
さらに、機器を傾けてキッチン上部開口穴に挿入するとキッチン上部にトッププレート前部干渉するため、挿入時トッププレート前部がキッチン上部に干渉しない寸法とする必要があった。一方、本発明によれば、キッチン上部開口穴上方より機器が水平な姿勢のままキッチン上部開口穴２に挿入して組み込むことができるので、挿入時のトッププレート前部とキッチン上部が衝突することがなく、トッププレート前部を機器前方へ広げることができ、鍋を置くトッププレートの面積を広くできるなど、使用性を向上することができる。
【００２６】
第４の発明は、特に第１〜第３のいずれかの発明において、キッチンの前面に設けられたキッチン前面開口部において扉で覆われない部分である扉横開口部を覆う着脱可能な前カバーを設ける構成としたものである。この構成により、下ユニットの扉がキッチンの前面部とほぼ同一平面に配置調整された後、前カバーを装着して、前カバーと扉でキッチン前面開口部の全体を隠すことができ、設置後の見栄えを向上することができる。
【００２７】
また、前カバーの装着により、容易に上ユニット下面の前後位置調整機構２４に触れることができなくなるため、加熱調理器の下ユニット前面部がキッチンの前面部とほぼ同一平面に見栄えよく調整された状態を維持することができる。
【００２８】
以下、本発明の実施の形態について、図面を参照しながら説明する。なお、この実施の形態によって本発明が限定されるものではない。
【００２９】
（実施の形態１）
図１は、本発明の第１の実施の形態における組込式加熱調理器の概略構成を示す分解斜視図、図２は、同組込式加熱調理器を下から見た底面図、図３は、同組込式加熱調理器を、キッチンに組込んだ後、前カバーがセットされる前に前方から見た正面図、図４は、同組込式加熱調理器を、キッチンに組込んだ後に、前カバーがセットされた状態で右斜め後方より見た部分斜視図である。
【００３０】
図１〜４において、本実施の形態の組込式加熱調理器は、キッチン１に組み込んで使用される。キッチン１の上面にはキッチン上部開口穴２があり、組込式加熱調理器は、このキッチン上部開口穴２から挿入され、キッチン１に組み込まれる。
【００３１】
組込式加熱調理器は、上ユニット３及び下ユニット４から構成されている。上ユニット３の外郭は、上方が開口した略箱体形状に形成された上外郭ケース５、この上外郭ケース５の上部に設けられたトッププレート６および排気口１２ａ、１２ｂが設けられる排気口カバー１２から構成されている。トッププレート６は、平板状の結晶化ガラスなどの電気絶縁物で形成されている。トッププレート６の使用者側には、加熱の開始／停止などを使用者が指示するための操作表示部７が設けられている。
【００３２】
上外郭ケース５内のトッププレート６下方には、高周波磁界を発生させることによって、トッププレート６上の被加熱物を誘導加熱する加熱コイル８を備えている。加熱コイル８の下方には、制御回路部９と加熱コイル８および制御回路部９を冷却するための冷却ファン１０が配されている。上外郭ケース５の底面を構成する上外郭ケース下面５ａには、冷却ファン１０が吸気するための吸気口１１が設けられる。トッププレート６の後方に設けられた排気口カバー１２に、冷却ファン１０からの冷却風を排気する排気口１２ａが設けられている。
【００３３】
また、下ユニット４は、下外郭ケース１３、グリル加熱室１４、前面板１５および扉１６を備える。下外郭ケース１３は、前方と上方が開口した略箱体形状に形成されている。グリル加熱室１４は、下外郭ケース１３内の略中央部に配置され、前面が開口した略箱体形状に形成されている。前面板１５は、グリル加熱室１４前面に位置し、グリル加熱室１４の前面開口部１４ａに嵌合して下外郭ケース１３に固定されている。扉１６は、グリル加熱室１４の前面開口部１４ａを覆いふさぐように構成されている。この扉１６は下ユニット前面部２９と取手１６ａで構成され、組込式加熱調理器の前面部となる。扉１６に連結された受け皿１７と、受け皿１７に載せられた焼き網１８はグリル加熱室１４に収められる。さらにグリル加熱室１４内の焼き網１８上部および下部にグリルヒーター２８を配している。扉１６と連結された受け皿１７は前方から出し入れ自在に開閉することができる。
【００３４】
この下ユニット４は上外郭ケース５の前後左右幅よりも小さく、下方からみて上外郭ケース５よりも左右方向に突出する箇所がない。
【００３５】
さらに、グリル加熱室１４後部には、略角筒状の排気筒が設けられており、排気筒は加熱室側排気筒１９と排気口側排気筒２０からなる。加熱室側排気筒１９の一端は前方のグリル加熱室１４に固定的に接続され、他端は排気口側排気筒２０の内側に挿入されて嵌合接続される。排気口側排気筒２０は一端が排気口側排気筒２０の他端と嵌合し、他端はトッププレート６の後方で左右方向の略中央に設けられた排気口１２ｂに上方へ向かって接続される。グリル加熱室１４の煙は加熱室側排気筒１９と排気口側排気筒２０を経路として排気口１２ｂへと移動し外部に排出される。ここで、加熱室側排気筒１９と排気口側排気筒２０との嵌合接続は前後方向嵌合とし、嵌合範囲内であれば自在に伸縮可能である。
【００３６】
さらに、下ユニット４は、下外郭ケース１３の上部に左右外方へ伸びたフランジ部２１を有し、左右のフランジ部２１に前後に２箇所ずつ前後方向へ長い長穴２２が形成されている。上ユニット３は、フランジ部２１下方より長穴２２を貫通して上ユニット下面へ係止する係止部２３を有し、フランジ部２１の長穴２２とで上ユニット３と下ユニット４とを連結する連結機構を構成している。係止部２３は、上外郭ケース下面５ａに螺合するねじよりなり、係止部２３のフランジ部２１より下方に位置する端部は、長穴２２の短径よりも大きい径の蝶ねじ頭形状としている。係止部２３の蝶ねじを緩めることで下ユニット４が長穴２２に沿って移動可能となり、下外郭ケース１３をもって任意の位置に移動させ、係止部２３の蝶ねじを締め付けて固定することで、上記上ユニット３と下ユニット４とを連結する連結機構は、前後位置調整機構２４を兼ねている。
【００３７】
また、キッチン１の前面に形成されたキッチン前面開口部１ａのうち、扉１６で覆われない扉１６の左右の部分である扉横開口部１ａａを覆い隠すための前カバー２５は、前面板１５に設けられた前面板係合部２６に係合爪２７にて固定され、着脱可能としている。
【００３８】
以上のように構成された組込式加熱調理器について、以下、その動作、作用を説明する。
【００３９】
図５（ａ）は、本発明の第１の実施の形態における組込式加熱調理器をキッチンに組込んだ後、下ユニットを移動する前に右方より見た概略断面図、図５（ｂ）は、同組込式加熱調理器をキッチンに組込んだ後、下ユニットを移動する前に右方より見た概略断面図、図６（ａ）は、同組込式加熱調理器を、キッチンに組込んだ後下ユニットを移動する前に右方から見た、排気筒の嵌合状態を示す概略断面図、図６（ｂ）は、同組込式加熱調理器を、キッチンに組込んだ後下ユニットを移動した後に右方より見た概略断面図である。
【００４０】
組込式加熱調理器のキッチン１への設置方法を説明する。はじめに、上ユニット３下方から、係止部２３の蝶ねじを緩め、下ユニット４が長穴２２に沿って移動可能な状態とする。そして、下ユニット４を、下方からみて上外郭ケース５よりも突出しない位置に移動し、係止部２３の蝶ねじを締め付けて固定する。この状態で、トッププレート６の左右端を持ち、機器が水平を保った状態で、トッププレート６とキッチン１上面の位置をあわせて、キッチン上部開口穴２に落とし込む。この際、扉１６と連結された受け皿１７は取り外しておく。
【００４１】
機器をキッチン上部開口穴２に挿入した後、扉１６と連結された受け皿１７をグリル加熱室１４の前面開口部１４ａへ挿入して扉１６を閉める。その後、扉横開口部１ａａから手をいれて、再度、上ユニット３下方から、係止部２３の蝶ねじを緩め、下ユニット４が長穴２２に沿って移動可能な状態とする。
【００４２】
下ユニット４を手で持って、下ユニット前面部２９を構成する扉１６の前面がキッチン１の前面部とほぼ同一平面となるように下ユニット４の前後位置を調整してから、係止部２３の蝶ねじを締め付けて固定する。その後、下外郭ケース１３と扉横開口部１ａａを覆い隠すための前カバー２５を、前面板１５にスリットが両側に形成された部分が凸状に折り曲げられて設けられた前面板係合部２６に係合爪２７を挿入して固定する。以上で、設置が完了となる。
【００４３】
次に設置された加熱調理器の加熱動作について説明する。
【００４４】
使用者が操作した内容を操作表示部７から送信される信号により、制御回路部９が機器内の加熱コイル８およびグリルヒーター２８に電流を供給し加熱を開始するとともに加熱制御を行う。この際、制御回路部９および加熱コイル８には、流れる電流によるジュール熱で発熱する。このため、冷却ファン１０を駆動させ、吸気口１１から冷却ファン１０により吸い込まれた空気を制御回路部９および加熱コイル８に向けて噴出して冷却し、トッププレート６後部の左右方向の略中央に設けられた排気口１２ｂへと排熱する。
【００４５】
また、グリル調理は、受け皿１７に載せた焼き網１８に調理物をのせて、受け皿１７をグリル加熱室１４へ挿入して扉１６を閉める。グリル加熱室１４内のグリルヒーター２８に通電され加熱が始まると、グリル加熱室１４内の調理物から油煙が発生し、発生した煙はグリル加熱室１４に連結された加熱室側排気筒１９から排気口側排気筒２０を通り、トッププレート６後方で左右方向の略中央に設けられ排気口側排気筒２０に連通する排気口１２ｂへと排出される。
【００４６】
また、操作表示部７は制御部から送信される信号により、機器が認識している情報を使用者へ表示により伝え、機器の操作を促す。使用者が加熱停止操作を行うと、操作表示部７から送信される信号により制御回路部９が機器内の加熱コイル８およびグリルヒーター２８への電流供給を中止し、加熱が停止する。もちろん、操作表示部７と制御回路部９、そして制御回路部９と加熱コイル８およびグリルヒーター２８は配線接続されている。特に、制御回路部９からグリルヒーター２８への配線は、制御回路部９から上外郭ケース下面５ａに設けた穴（図示せず）より、グリルヒーター２８へ接続されている。制御回路部９からグリルヒーター２８への配線は、グリル加熱室１４の前後移動に伴う距離を考慮した長さとしており、キッチン１に挿入する際には、グリル加熱室１４は後ろへ下がった位置となっているので制御回路部９からグリルヒーター２８への配線は、下方へたるんだ状態となっている。上ユニット３と下ユニット４を、キッチン１に組込み後、下ユニット４を前に移動させて位置を調整すると当該配線のたるんでいた部分が配線としての調整の役割を果たし、ヒーター接続部２８ａは、下ユニット４の移動とともに、前方へ移動することとなる。
【００４７】
以上のように、本実施の形態において、下ユニット４は、上外郭ケース５の左右幅よりも小さく、上ユニット３下面に下ユニット４が連結された状態でキッチン上部開口穴２から挿入されて、キッチン１に組み込まれ、下ユニット４左右外方の上ユニット３下面に備えた上ユニット３と下ユニット４の連結機構を兼ねた前後位置調整機構２４を用いて、キッチン１に挿入した後に、上ユニット３下方から調整可能な構成となっている。
【００４８】
この構成により、上ユニット３と下ユニット４の連結と前後位置調整に係る構成部品が少なく簡易に構成することができるとともに、上ユニット３と下ユニット４との前後位置の調整を上ユニット３下方から直接、下ユニット４を操作して下ユニット４を任意の位置まで容易に前後方向へ移動することができ、下ユニット前面部２９がキッチン１の前面部とほぼ同一平面に配置調整する設置作業時の作業性を向上することができる。
【００４９】
また、前後位置調整機構２４を機器前方の使用者が容易に触れる場所（例えば上ユニット３や下ユニット４の前面側）ではなく、前後位置調整機構２４を上ユニット３下面に構成したことで、使用者が意識せずに前後位置調整機構２４に触れて調整位置がずれる恐れがなく、下ユニット前面部２９がキッチン１の前面部とほぼ同一平面に配置したままの見栄えを維持することができる。
【００５０】
また、本実施の形態において、前後位置調整機構２４を、下ユニット４の上部に左右外方へ伸びたフランジ部２１に形成した前後方向へ長い長穴２２と、フランジ部２１下方より長穴２２を貫通して上ユニット３下面へ係止する係止部２３とで構成し、係止部２３を緩めることで下ユニット４が長穴２２に沿って駆動可能とし、任意の位置で係止部２３を締め付けて固定する構成とする。
【００５１】
この構成により、下ユニット４が長穴２２に沿って移動するため、前後方向へ下ユニット４を直接手で操作して任意の位置へ移動しやすくすることができ、下ユニット前面部２９がキッチン１の前面部とほぼ同一平面に配置調整する設置作業時の作業性を向上することができる。また、係止部２３により下ユニット４を任意の位置で締め付け固定することで、位置調整後の位置に確実に下ユニット４をとどまらせることができ、設置後使用者が誤って下ユニット４にあたっても調整位置を保ち、下ユニット前面部２９がキッチン１の前面部とほぼ同一平面に配置したままの見栄えを維持することができる。
【００５２】
またさらに、本実施の形態において、下ユニット４を、下方からみて上ユニット３外郭ケースよりも突出しない位置に調整可能としたことにより、上ユニット３下面に下ユニット４が連結された状態でキッチン上部開口穴２から挿入されキッチン１に組み込まれる際、キッチン上部開口穴２に下ユニット４が干渉しないように機器を傾けて挿入する必要がない。
【００５３】
したがって、キッチン上部開口穴２上方より機器が水平な姿勢のままキッチン上部開口穴２に挿入して組み込むことができるので、機器を傾けて挿入するよりも、設置作業が容易行うことができ作業性を向上することができる。また、機器を傾けて挿入するよりも、下ユニット４前面がキッチン上部開口穴２挿入時にキッチン上部開口穴２の縁に衝突する恐れを低減することができる。
【００５４】
さらに、機器を傾けてキッチン上部開口穴２に挿入するとキッチン１上部にトッププレート６前部干渉するため、挿入時にトッププレート６前部がキッチン１上部に干渉しない寸法とする必要があった。しかしながら本実施の形態の構成によれば、キッチン上部開口穴２上方より機器が水平な姿勢のままキッチン上部開口穴２に挿入して組み込むことができるので、挿入時のトッププレート６前部とキッチン上部が衝突することがなく、トッププレート６前部を機器前方へ広げることができ、鍋を置くトッププレート６の面積を広くできるなど、使用性を向上することができる。
【００５５】
さらに、本実施の形態において、扉横開口部１ａａと下ユニット前面部２９との左右の隙間を覆う着脱可能な前カバー２５を設けたことにより、下ユニット前面部２９がキッチン１の前面部とほぼ同一平面に配置調整後、前カバー２５を装着してキッチン前面開口部１ａ全体を隠すことができ、設置後の見栄えを向上することができる。
【００５６】
また、前カバー２５の装着により、容易に上ユニット３下面の前後位置調整機構２４に触れることができなくなるため、下ユニット前面部２９がキッチン１の前面部とほぼ同一平面に見栄えよく調整された状態を維持することができる。
【産業上の利用可能性】
【００５７】
以上のように、本発明にかかる組込式加熱調理器は、加熱調理器をキッチン等に組み込んだ後に、加熱調理器の前面部がキッチンの前面部とほぼ同一平面に配置調整する設置作業時の作業性を向上することができるので、キッチンに組み込んで設置する加熱調理器に適用できる。
【符号の説明】
【００５８】
１  キッチン
１ａ  キッチン前面開口部
１ａａ  扉横開口部
２  キッチン上部開口穴
３  上ユニット
４  下ユニット
５  上外郭ケース
５ａ  上外郭ケース下面
６  トッププレート
７  操作表示部
８  加熱コイル
９  制御回路部
１０  冷却ファン
１１  吸気口
１２  排気口カバー
１２ａ、１２ｂ  排気口
１３  下外郭ケース
１４  グリル加熱室
１４ａ  前面開口部
１５  前面板
１６  扉
１７  受け皿
１８  焼き網
１９  加熱室側排気筒
２０  排気口側排気筒
２１  フランジ部
２２  長穴
２３  係止部
２４  前後位置調整機構
２５  前カバー
２６  前面板係合部
２７  係合爪
２８  グリルヒーター
２８ａ  ヒーター接続部
２９  下ユニット前面部
【図１】
2014211245.tif 000003
【図２】
2014211245.tif 000004
【図３】
2014211245.tif 000005
【図４】
2014211245.tif 000006
【図５】
2014211245.tif 000007
【図６】
2014211245.tif 000008
【図７】
2014211245.tif 000009